(57)【要約】【課題】美麗で、通風性が良く、保管や携帯に便利で、変形後も容易に原形に復元でき、着用中に額や側頭部から下がることなく、安定して着用できるサンバイザーを提供する。【解決手段】つばは、所定の幅を持つ第１の生地帯の一方の側縁の下面に沿って、第２の生地帯の一方の側縁の上面を積層した状態で前記第１の生地帯と第２の生地帯とが縫製され、以下同様の方式で第３〜第ｎの生地帯が順次縫製されて成る一体的なつば材から成り、前記つば材の最も外側の生地帯の側縁に沿って設けられる縁仕上げ部材の内部にはワイヤが収容されて成り、弾性帯芯材は、額当接部と、側頭当接部とを有するように形成された円孤形枠部と、前記円形枠部の後方に形成された両端部と、前記両端部の間に形成された開口部とから構成され、前記両端部がそれぞれ下向き且つ内向きに曲げられて形成される後端屈曲部により後頭部を押圧するように構成されたこと、を特徴とする。【選択図】  図１
2018009278.tif 000002
【特許請求の範囲】
【請求項１】
内部に弾性帯芯材（１０）が挿入されて構成される頭帯（１２０）と、前記頭帯（１２０）の前頭部に設けられるつば（１１０）とからなるサンバイザー（１００）において、
前記つば（１１０）は、所定の幅を持つ第１の生地帯（M１）の一方の側縁の下面に沿って、第２の生地帯（M２）の一方の側縁の上面を積層した状態で前記第１の生地帯（M１）と第２の生地帯（M２）とが縫製され、前記第２の生地帯（M２）のもう一方の側縁の下面に沿って、第３の生地帯（M３）の一方の側縁の上面を積層した状態で前記第２の生地帯（M２）と第３の生地帯（M３）とが縫製され、以下同様の方式で第４〜第ｎの生地帯（M４、M５、M６、M７、…… 、Mn）が順次縫製されて成る一体的なつば材（１１１）から成り、前記つば材（１１１）の最も外側の生地帯（Mn）の側縁に沿って設けられる縁仕上げ部材（１１２）の内部にはワイヤ（１１６）が収容されて成り、
前記弾性帯芯材（１０）は、額当接部と、この額当接部から両側に延び、着用者の側頭部に当接する側頭当接部とを有するように形成された円孤形枠部（１１）と、前記円形枠部（１１）の後方に形成された両端部（１３）と、前記両端部（１３）の間に形成された開口部（１２）とから構成され、前記両端部１３がそれぞれ下向き且つ内向きに曲げ（α）られて形成される後端屈曲部（１４）により後頭部を押圧するように構成されたこと、
を特徴とする、生地帯のつばと弾性帯芯材を有するサンバイザー。
【請求項２】
前記つば（１１０）のつば材（１１１）において、積層して縫製される生地帯の一方を部分的に曲げて他方の生地帯との間に空間が形成されるように、各縫付け線上において縫付けを行なわない非縫付け部（１１４）を設けたことを特徴とする、請求項１記載の生地帯のつばと弾性帯芯材を有するサンバイザー。
【請求項３】
前記つば（１１０）の複数の生地帯（M１、M２、M３、M４、M５、 …… 、Mn）は、同一色のみ、または多様な色のものが併用されたことを特徴とする、請求項１記載の生地帯のつばと弾性帯芯材を有するサンバイザー。
【請求項４】
前記つば（１１０）のつば材（１１１）は、前記頭帯（１２０）の近くにある生地帯Mを上側に配置したことを特徴とする、請求項１記載の生地帯のつばと弾性帯芯材を有するサンバイザー。
【請求項５】
前記ワイヤ（１１６）として、その表面が軟質の合成樹脂又はゴムからなるチューブ（１１７）で被覆された亜鉛ワイヤを用いたことを特徴とする、請求項１記載の生地帯のつばと弾性帯芯材を有するサンバイザー。
【請求項６】
つば（１１０）は、前記複数枚の生地帯Mを一体的に縫製して成る前記つば材が前記頭帯（１２０）に取り付けられて成ることを特徴とする、請求項１記載の生地帯のつばと弾性帯芯材を有するサンバイザー。
【請求項７】
前記弾性帯芯材（１０）において、前記後端屈曲部（１４）の幅は、前記円孤形枠部（１１）の幅よりも相対的に広く形成されることを特徴とする、請求項１記載の生地帯のつばと弾性帯芯材を有するサンバイザー。
【請求項８】
前記弾性帯芯材（１０）の前記後端屈曲部（１４）は、その下部が内側に曲がった（α）下向き内側曲げ部（１４a）を有することを特徴とする、請求項１記載の生地帯のつばと弾性帯芯材を有するサンバイザー。
【請求項９】
前記弾性帯芯材（１０）の前記後端屈曲部（１４）の内側には、多数の突起（１４b）が形成されたことを特徴とする、請求項１記載の生地帯のつばと弾性帯芯材を有するサンバイザー。
【請求項１０】
前記弾性帯芯材（１０）には、前記後端屈曲部（１４）の上部または下部の円弧状に延長形成された弧形延長部（１３c）と、前記弧形延長部（１３c）に隣接する通孔（１５）が形成されたことを特徴とする、請求項１記載の生地帯のつばと弾性帯芯材を有するサンバイザー。
【請求項１１】
前記弾性帯芯材（１０）の前記通孔（１５）は、長孔に形成されたことを特徴とする、請求項１０記載の生地帯のつばと弾性帯芯材を有するサンバイザー。
【発明の詳細な説明】
【技術分野】
【０００１】
本発明は、生地帯製のつば（鍔）と弾性帯芯材を有するサンバイザーに関するもので、より詳しくは、頭帯の前部に接続され日差しを遮るつばを、多数枚の生地帯で一体的に作ることで、外観が美麗で、通風が良く、保管や携帯にも便利なサンバイザーに関するものである。また、その生地帯のつばは、柔らかく、軽重量で、保管後にも元の形に簡単に復元できると共に、弾性帯芯材は、頭帯内に挿入、縫製され、着用者の額及び両側の側頭部からずれ下がることなく、頭部外周に圧迫感がなく、安定して装着できるように構成されたサンバイザーに関するものである。
【背景技術】
【０００２】
一般的に、サンキャップ、サンバイザー、野球帽等の各種帽子（以下、帽子という）は、日ざしや雨、または雪から頭を保護するために頭部に装着するもので、これらの帽子は、その使用目的や用途によって様々な種類の形に分類され、ユーザーの好みや個性に応じておしゃれを演出する手段としても使われている。
【０００３】
つばは、サンキャップやサンバイザー、野球帽など、多様な形の帽子の前頭部に取り付けられて日ざしを遮ることによって、着用者の眩しさや、紫外線による視力や顔の皮膚の損傷などの発生を最小限に抑えてくれるという役割も担っているものである。従来のつばは、合成樹脂で成形したつば芯の上下面を生地からなる上下面外被で被覆し、それらの周縁部を生地からなる縁仕上げ材によりぐるりと取り囲む状態で縫製して製造したものを広く用いていた。
【０００４】
このようなつばとして、大韓民国実用新案公開番号第２０１３-０００２１７８号においては、「合成樹脂からなるつば芯１０を、生地からなる上下面の外被２０、２０’で被覆し、前記つば芯と上下面外被の縁１１、２１、２１’を生地からなる縁仕上げ材３０でぐるりと取り囲み、縁の部分を縫製したり、又は、合成樹脂からなるつば芯１０を、生地からなる縁２１、２１’で縫合した上下面外被２０、２０’の内部に挿入し、前記つば芯１０と上下面外被２０、２０’の必要部分を縫製して形成されるつば」を使用していた。
【０００５】
また、帽子のつば芯は合成樹脂を用いた固い板材からなるため、帽子の保管や持ち運びが不便であり、つばに風が通らず、風が吹くと帽子が脱げたり、涼しさにも欠けるという問題点があった。
【０００６】
つばに風が通らず帽子が脱げてしまうという問題を解消するために提案された大韓民国実用新案登録第０２３４２４０号においては、「帽子の下部つば１に適当なサイズの風孔２を開け、帽子カップ５とつば芯の間の触れ合う部分に支持材３を差込んで、その上にまたつばのカバー４を置くことによって、下部のつばと上部のつばの間の両側に隙間、すなわち両側に風孔２’が生じるようにする構成」となっているが、この第０２３４２４０号は、単につばに風孔を形成して風が通るようにしただけのもので、また、合成樹脂板材で作られたつばは、重くて所持しずらいという不便な問題点があった。
【先行技術文献】
【特許文献】
【０００７】
【特許文献１】大韓民国実用新案公開番号第２０１３-０００２１７８号「つば」
【特許文献２】大韓民国実用新案登録第０２３４２４０号「風孔が形成された二重つば」
【発明の概要】
【発明が解決しようとする課題】
【０００８】
本発明は、前記のような問題点を解決するためのものであり、帽帯の前部に接続され日差しを遮るつばを、多数の生地帯で一体的に作ることで、外観が美麗で、通風が良く、保管や携帯にも便利であり、また、柔らかくて軽量で、保管後にも元の形に簡単に復元することができるサンバイザーを提供することを目的とする。また従来のつばは、合成樹脂のつば芯の表面を生地で覆ったものを使用していたので、生地とつば芯の分離が困難であり、そのため分別収集ができず、リサイクルせずに焼却、廃棄処分されていた。したがって、本発明は、つばを生地だけで作ることによりリサイクルが可能で、資源の無駄を減らすことのできる、生地帯のつばと弾性帯芯材を有するサンバイザーを提供することを目的とする。
【０００９】
また、頭帯内に挿入、縫製され、着用者の額及び両側の側頭部からずれ下がることなく、頭部外周に圧迫感がなく、安定して装着されるようにした、生地帯のつばと弾性帯芯材を有するサンバイザーを提供することを、もう１つの目的とする。
【課題を解決するための手段】
【００１０】
前記の課題を解決するために、本発明は、内部に弾性帯芯材が挿入されて構成される頭帯と、前記頭帯の前頭部に設けられるつばとからなるサンバイザーにおいて、前記つばは、所定の幅を持つ第１の生地帯の一方の側縁の下面に沿って、第２の生地帯の一方の側縁の上面を積層した状態で前記第１の生地帯と第２の生地帯とが縫製され、前記第２の生地帯のもう一方の側縁の下面に沿って、第３の生地帯の一方の側縁の上面を積層した状態で前記第２の生地帯と第３の生地帯とが縫製され、以下同様の方式で第４〜第ｎの生地帯が順次縫製されて成る一体的なつば材から成り、前記つば材の最も外側の生地帯の側縁に沿って設けられる縁仕上げ部材の内部にはワイヤが収容されて成り、前記弾性帯芯材は、額当接部と、この額当接部から両側に延び、着用者の側頭部に当接する側頭当接部とを有するように形成された円孤形枠部と、前記円形枠部の後方に形成された両端部と、前記両端部の間に形成された開口部とから構成され、前記両端部がそれぞれ下向き且つ内向きに曲げられて形成される後端屈曲部により後頭部を押圧するように構成されたこと、を特徴とする、生地帯のつばと弾性帯芯材を有するサンバイザーを提供する。
【００１１】
また、前記つばのつば材において、積層して縫製される生地帯の一方を部分的に曲げて他方の生地帯との間に空間が形成されるように、各縫付け線上において縫付けを行なわない非縫付け部を設けたことを特徴とする、生地帯のつばと弾性帯芯材を有するサンバイザーを提供する。
【００１２】
また、前記つばの複数の生地帯は、同一色のみ、または多様な色のものが併用されたことを特徴とする、生地帯のつばと弾性帯芯材を有するサンバイザーを提供する。
【００１３】
また、前記つばのつば材は、前記頭帯の近くにある生地帯を上側に配置したことを特徴とする、生地帯のつばと弾性帯芯材を有するサンバイザーを提供する。
【００１４】
また、前記ワイヤとして、その表面が軟質の合成樹脂又はゴムからなるチューブで被覆された亜鉛ワイヤを用いたことを特徴とする、生地帯のつばと弾性帯芯材を有するサンバイザーを提供する。
【００１５】
また、つばは、前記複数枚の生地帯を一体的に縫製して成る前記つば材が前記頭帯に取り付けられて成ることを特徴とする、生地帯のつばと弾性帯芯材を有するサンバイザーを提供する。
【００１６】
また、前記弾性帯芯材において、前記後端屈曲部の幅は、前記円孤形枠部の幅よりも相対的に広く形成されることを特徴とする、生地帯のつばと弾性帯芯材を有するサンバイザーを提供する。
【００１７】
また、前記弾性帯芯材の前記後端屈曲部は、その下部が内側に曲がった下向き内側曲げ部を有することを特徴とする、生地帯のつばと弾性帯芯材を有するサンバイザーを提供する。
【００１８】
また、前記弾性帯芯材の前記後端屈曲部の内側には、多数の突起が形成されたことを特徴とする、生地帯のつばと弾性帯芯材を有するサンバイザーを提供する。
【００１９】
また、前記弾性帯芯材には、前記後端屈曲部の上部または下部の円弧状に延長形成された弧形延長部と、前記弧形延長部に隣接する通孔が形成されたことを特徴とする、生地帯のつばと弾性帯芯材を有するサンバイザーを提供する。
【００２０】
また、前記弾性帯芯材の前記通孔は、長孔に形成されたことを特徴とする、生地帯のつばと弾性帯芯材を有するサンバイザーを提供する。
【発明の効果】
【００２１】
本発明の生地帯のつばと弾性帯芯材を有するサンバイザーは、帽帯の前部に接続され日差しを遮るつばを、多数の生地帯で一体的に作ることで、外観が美麗で、通風が良く、保管や携帯にも便利であり、また、柔らかくて軽量で、保管後にも元の形に簡単に復元することができるサンバイザーを提供することを目的とする。また従来のつばは、合成樹脂のつば芯の表面を生地で覆ったものを使用していたので、生地とつば芯の分離が困難であり、そのため分別収集ができず、リサイクルせずに焼却、廃棄処分されていたが、本発明は生地だけでつばが作られているためリサイクルができ、資源の無駄を減らすことができるという効果がある。
【００２２】
また、頭帯内に挿入、縫製され、着用者の額及び両側の側頭部からずれ下がることなく、頭部外周に圧迫感がなく、安定して装着できるという非常に有用な効果がある。
【００２３】
本明細書に添付される次の図面は、本発明の好適な実施例を例示するもので、発明の詳細な説明と共になって本発明の技術思想をさらに理解しやすくする役割を果たすものであるので、本発明は、添付した図面に記載された事項に限定されて解釈されてはならない。
【図面の簡単な説明】
【００２４】
【図１】本発明に係る生地帯のつばと弾性帯芯材を有するサンバイザーの写真である。
【図２】本発明で用いる生地帯の実物写真である。
【図３】本発明における生地帯の縫製の様子を示す概略図である。
【図４】本発明における生地帯の縫製された断面図である。
【図５】本発明における縁仕上げ部材を示す概略図である。
【図６】本発明における弾性帯芯材を示す斜視図である。
【図７】本発明における弾性帯芯材の平面図である。
【図８】図７におけるA-A′線断面図である。
【図９】本発明における弾性帯芯材の後端屈曲部の内側に形成された突起を示す概略図である。
【図１０】本発明における弾性帯芯材の後端屈曲部の上部及び下部に形成された弧形延長部と、通孔を示す概略図である。
【図１１】本発明における弾性帯芯材の後端屈曲部の上部及び下部に形成された弧形延長部と、通孔を示す概略図である。
【図１２】本発明における弾性帯芯材の下向き内側曲げ部を示す概略図である。
【発明を実施するための形態】
【００２５】
上記添付図面に提示された実施例を参照し、本発明を詳しく説明するが、提示された実施例は、本発明の明確な理解のための例示的なもので、本発明は、これに限定されない。
以下、好ましい実施例に基づいて本発明の技術的構成を詳しく説明すると次のとおりである。
【００２６】
図１は、本発明に係る生地帯のつばと弾性帯芯材を有するサンバイザーの写真であり、図２は、本発明で用いる生地帯の実物写真であり、図３は、本発明における生地帯の縫製の様子を示す概略図であり、図４は、本発明における生地帯の縫製された断面図であり、図５は、本発明における縁仕上げ部材を示すための概略図ある。
【００２７】
本発明に係る生地帯のつばと弾性帯芯材を有するサンバイザー１００は、頭帯１２０と頭帯１２０の前部に形成されるつば１１０からなるサンバイザーにおいて、そのつば１１０は、多数の生地帯を一体的に縫製することにより、外観が美麗で、通風が良く、簡単に保管や携帯ができると共に、柔らかくて軽量ながらも保管後に元の形に簡単に復元することができるように構成される。また、前記頭帯１２０には、弾性帯芯材１０が挿入、縫製され、この弾性帯芯材１０は、頭帯１２０が着用者の額と側頭部から下がらないようにし、頭部に圧迫感がなく、安定して着用できるようになっている。
【００２８】
本発明における生地帯からなるつば１１０を図１〜図５を参照して詳しく説明すると、次の通りである。
【００２９】
所定の幅を持つ複数枚の生地帯Mを積層し、これらを一体的に縫製してつば材１１１を作り、このつば材の縁の生地帯Mnには、縁仕上げ部材１１２を取り付け、その縁仕上げ部材１１２には、ワイヤ１１６を内在させる。
【００３０】
つば材１１１を作る生地帯Mは、図２のごとく通常の生地を所定の幅でカットして使用したり、所定の幅を持つ生地のバンドを使用する。
【００３１】
生地バンドは、所定の幅と長さがあるものを使い、必要な長さにカットして使う。
【００３２】
前記生地を所定の幅にカットして使用する際には、カットされた生地を筒状に折り畳み、畳まれた部分を縫製して生地帯Mとして使用する。
【００３３】
このように、つば１１０を、従来の如く重くて堅い合成樹脂板材でのつば芯を用いて作ることなく、軽い生地帯Mや生地をカットした生地帯Mで作ることで、サンバイザー１００を軽く、また畳んで保管することが容易で、所持しやすくすることができる。
【００３４】
前記生地帯Mは、同じ色のもので作ることができ、また、様々な色のもので作ることもできる。
【００３５】
また、つば１１０を様々な生地と様々な色の生地帯Mを繋いで作ることで、美麗なサンバイザー１００を作ることができ、これにより帽子の商品性が増大するようになる。
【００３６】
つば１１０を作るために、生地帯Mを縫製して一体的な部材に作るための生地帯Mの縫製は、頭帯１２０に近接した生地帯M１から、これに連続して最も遠くにある生地帯Mnまでを順次縫製して一体とし、広いシート状のつば材１１１を作る。
【００３７】
前記つば材１１１を作る際には、図３及び図４のごとく、頭帯１２０に取り付けられる生地帯M１の一方の側縁に沿った下面に生地帯M２の一方の側縁の上面を積層したうえで両者を縫製して一体に作るが、生地帯M１と生地帯M２を縫製してなる縫製部１１３と、この縫製部１１３に連続して生地帯M１の他方の側縁を上方向に曲げて持ち上げるように形成して所定の距離だけ縫製しない非縫付け部１１４を作り、次いで、この非縫付け部１１４に連続して、前記生地帯M１と生地帯M２の積層された部分を縫製してなる次の縫製部１１３を形成することを交互に繰り返し実行して、生地帯M１と生地帯M２を縫製して、一体的なシート状のつば材１１１を作る。
【００３８】
すなわち、生地帯M１と生地帯M２とを一体に縫製する縫製部１１３と、そのような縫製部１１３と次の縫製部１１３との間に、生地帯M１の一方の側縁を上方向に持ち上げ、所定の距離だけ縫製しない非縫付け部１１４とを作って、これにより、縫製部１１３と非縫付け部１１４とが交互に繰り返された状態で、生地帯M１と生地帯M２が一体的に縫製されるようになる。
【００３９】
次いで、生地帯M１に取り付けられた生地帯M２に更に生地帯M３を縫製するために、生地帯M２のもう一方の側縁の下面に生地帯M３の一方の側縁の上面を積層して生地帯M２と生地帯M３を縫製して一体とすることは、生地帯M１と生地帯M２を縫製した方式と同様である。従って、この場合も、生地帯M２と生地帯M３を縫製してなる縫製部１１３と、この縫製部１１３に連続して所定の距離だけ縫製しない非縫付け部１１４とを交互に繰り返して、生地帯M２と生地帯M３とを一体化する。
【００４０】
このような同じ方法で生地帯M１、M２、……、Mnを連続的に縫製して生地帯を一体化し、このつば材１１１を作る過程で、積層された生地帯を縫製する縫製部１１３と、縫製していない非縫付け部１１４とが交互に繰り返して形成されるようにして、つば材１１１を作製する。
【００４１】
このようにつば材１１１を作りながら生地帯M１、M２、……、Mn-１を波状に曲げることにより、縫製していない部分では、上側の生地帯とその下部に縫製したもう１枚の生地帯との間に空間が形成され、その空間が形成された非縫付け部１１４を通じて風がつばを通過し、つば１１０の下部にある着用者の顔を涼しくすることができ、また風がふく場合にも、サンバイザー（帽子）１００が脱げることを防止できる。
【００４２】
つば材１１１の最も外側に位置する縁の生地帯Mnには、図５のごとく縁仕上げ部材１１２を縫製し、縁仕上げ部材１１２には、ワイヤ１１６を挿入して、その縁を縫製する。
【００４３】
前記つば材１１１の外側縁を形成している生地帯Mnの上側には、縁仕上げ部材１１２の一方の側縁を縫い付け、生地帯Mnと縁仕上げ部材１１２との間にワイヤ１１６を挿入した後、縁仕上げ部材１１２のもう一方の側縁の上下面を縫製してつば１１０を作り上げる。
【００４４】
前記縁仕上げ部材１１２は、生地帯Mnの下部に縫い付けて使用することもできる。
【００４５】
また、縁仕上げ部材１１２は、つば材１１１の縁の生地帯Mnの上・下部に二重に縫製して使用することもできる。
【００４６】
このように縁仕上げ部材１１２に、ワイヤ１１６を入れることで、つば１１０を畳んで容易に保管したり、所持することもでき、帽子１００を着用しようとする際には、縁仕上げ部材１１２に挿入された前記ワイヤ１１６を、つば１１０の元の状態の形状に戻して、使用することができるようになる。
【００４７】
前記ワイヤ１１６は、ユーザーが曲げたり、伸ばすことによって、自由に曲がり、また、曲がった後は、その状態が維持されるように延性を有する亜鉛からなるものが好適に用いられる。また、前記ワイヤ１１６を折り曲げたり、伸ばしたりを繰り返したときに、ワイヤ１１６が折れることを防ぐために、前記ワイヤ１１６の外周面を軟質の合成樹脂やゴムからなるチューブ１１７で被覆して使用することができる。
【００４８】
また、前記ワイヤ１１６は、縁仕上げ部材１１２に内蔵されてつば芯１０の変形された状態を維持するため、形状記憶合金からなるワイヤ１１６を用いてつば１１０を任意の形に変形させたり、折りたたむことができるようにし、そのため曲がりが自由で他の外力が作用していないときは、外力によって変形された状態をそのまま維持できる材質の金属または非金属からなるものを用いることも推奨される。
【００４９】
したがって、本発明によると、前記ワイヤ１１６がつば芯１０の変形された状態をそのままに維持させるため、ユーザーがつば芯１１０を様々な形に変形させたり、折りたたむことができ、その後また、元の形に簡単に復元させることもできる。
【００５０】
また、頭帯１２０をつばと同じ生地で作り、前記生地帯M１、M２、M３、M４、M５…… Mnと一体に縫製したものを使用することにより、帽子が美麗で、また生地から作った頭帯を通して通風されるようにし、着用者が涼感を得られるようにすることができ、また、汗取りの機能を持たせることも可能になる。
【００５１】
図６は、本発明における弾性帯芯材を示す斜視図で、図７は、本発明における弾性帯芯材の平面図で、図８は、図７におけるA-A′線断面図で、図９は、本発明における後端屈曲部の内側に形成された突起を示した概略図で、図１０と図１１は、本発明における後端屈曲部の上部及び下部に形成された弧形の延長部と、通孔を示す概略図で、図１２は、本発明における弾性帯芯材の下向き内側曲げ部を示す概略図である。
【００５２】
本発明の生地帯のつばと弾性帯芯材を有するサンバイザー１００は、その頭帯１２０の内部に弾性帯芯材１０が挿入されて構成されている。
【００５３】
本発明に係るサンバイザーの頭帯用弾性帯芯材１０は、図６〜図１２を参考して詳しく説明すると、次の通りである。
【００５４】
本発明における弾性帯芯材１０は、頭帯１２０の内部に挿入、縫製されて頭に繰り返して容易に着用できるように構成される。
【００５５】
このような前記弾性帯芯材１０は、円弧形枠部１１と両端部１３と、開放部１２と、後端屈曲部１４とで構成される。
【００５６】
前記円弧形枠部１１は、前記弾性帯芯材１０をなす本体として、円弧形に形成され、額の前面に当接する額当接部と、額の両側へ延び、頭の上部の外側周面に安定して当接する側頭当接部とを有するように構成される。
【００５７】
すなわち、前記弾性帯芯材１０は、額と、前記額の両側に続く頭の外側周囲をカバーするように構成されている。
【００５８】
前記弾性帯芯材１０は、更に円形枠部１１の両側後方に形成された両端部１３を有し、前記両端部１３は、後頭部の上部両側面を押圧するように構成されている。
【００５９】
このような前記両端部１３には、図１０、図１１示す如く、円形枠部１１の一方の後端に端部１３aが形成され、前記円形枠部１１の他方の後端に端部１３bが形成されて構成されている。
【００６０】
このように、前記の円形枠部１１の両側後方には、前記端部１３がそれぞれ形成されることにより、両端部１３が形成されるように構成される。
【００６１】
前記両端部１３は、前記円形枠部１１が、着用者の額と、額の両側に続く側頭部からずり下がらないように後頭部の上部両側面を押圧するように構成される。
【００６２】
前記両端部１３との間には、開口部１２が形成される。前記開口部１２は、着用者の頭部に装着されるとき、頭の大きさに応じて、広くなったり狭くなって帽子（サンバイザー）を容易に着用できるようにし、また、柔らかく後頭部を押圧して帽子（サンバイザー）が頭から離脱しないようにする。
【００６３】
一方、前記両端部１３は、下方及び内向きに曲げられた折曲された後端屈曲部１４で構成され、前記後端屈曲部１４は、額の両側に続く側頭部の後部を押圧するように構成されている。
【００６４】
すなわち、前記後端屈曲部１４の内側面は、額の両側に続く側頭部囲の後部である後頭部の後部両側面を押圧するようにし、この後端屈曲部１４を有する前記円孤形枠部１１が、側頭部と後頭部の上部両側から下がらないようにし、前記円弧形枠部１１で構成された前記弾性帯芯材１０が安定的に額と額の両側の側頭部に安定的に保持されるように構成されている。 
【００６５】
前記後端屈曲部１４の広さは、円孤形枠部１１の幅よりも相対的にで広く形成する。頭の後頭部に当接する後端屈曲部１４を広く形成したことにより、広い面積で後頭部と接触して大きな力で頭を押圧する帽子（サンバイザー）が頭から離脱されることを防止しながらも、頭と広い面積で接触して、頭への加圧力を広い面積に分散させて、加圧力を相対的に小さく感じられるようにすることができる。
【００６６】
また、前記後端屈曲部１４は、その下部が内側に曲がった（図８、図９中に「α」で示す。）下向き内側曲げ部１４aを形成するよう構成されている。前記のように、前記後端屈曲部１４の下部が内側に曲がった（α）下向き内側曲げ部１４aにおいては、額の両側の側頭部の後部である後頭部の後両側面を加圧すると共に、前記後端屈曲部１４からなる前記両端部１３を有する前記円孤形枠部１１が、額と、額に続く側頭部と、後頭部の上部との両側から下がらないようにし、前記円弧形枠部１１を有する前記弾性帯芯材１０が額と両側頭部に安定的に保持されるように構成される。
【００６７】
また、前記後端屈曲部１４の内側には、多数の突起１４b（図９参照）が形成されて構成されている。前記のように、前記後端屈曲部１４の内側には、多数個の突起１４bが形成されるが、前記の後端屈曲部１４の内側に形成された前記突起１４bが側頭部の後部である後頭部の上部両側を押圧することにより、前記後端屈曲部１４が後頭部の上部両側から下がることを防ぐように構成されている。
【００６８】
また、前記後端屈曲部１４の上部または下部には、弧形に延長形成された弧形延長部１３cが形成されると共に、通孔１５が形成されている。
【００６９】
前記のように、前記後端屈曲部１４の上部または下部から弧形に延長形成された弧形延長部１３cが設けられるのは、前記の後端屈曲部１４に加え、前記弧形延長部１３cが額の両側の両側頭部の後部、すなわち後頭部の上部両側を安定的に押圧し、前記後端屈曲部１４及び前記弧形延長部１３cを備えた前記円弧形枠部１１が額と両側頭部から下がらないようにするためである。
【００７０】
また、前記通孔１５は、長孔状に形成されていることが望ましい。前記通孔１５を、前記後端屈曲部１４に形成することは、前記後端屈曲部１４の強度を補強し、前記後端屈曲部１４が外力によって破損や変形されることを防止するためである。
【００７１】
前記弾性帯芯材１０は、前記円弧形枠部１１と、前記両端部１３と、前記開口部１２と、前記後端屈曲部１４とで構成され、前記円弧形枠部１１の内側面が額と両側頭部に押圧されて保持され、前記両端部１３に形成された両後端屈曲部１４と下向き内側曲げ部１４aが、額と両側頭部と、両側頭部の裏面を内方へ向けて押圧し、前記弾性帯芯材１０が額と両側頭部の表面から下がらないようにし、前記弾性帯芯材１０を頭部外周に圧迫感がなく、安定して装着されるようにする。
【００７２】
以上、本発明は、提示された実施例を参照して、詳しく説明されたが、この分野で通常の知識を有する者は、提示された実施例を参照し、本発明の技術的思想を逸脱しない範囲で種々の変形や修正発明を作ることが可能である。本発明は、このような変形及び修正発明によっては制限されず、ここに添付された特許請求の範囲によってのみ制限される。
【産業上の利用可能性】
【００７３】
本発明は以上のように構成したので、外観が美麗で、通風が良く、保管や携帯にも便利であり、また、柔らかくて軽量で、保管後にも元の形に簡単に復元することができるサンバイザーとして好適に用いられるものである。また従来のつばは、合成樹脂のつば芯の表面を生地で覆ったものを使用していたので、生地とつば芯の分離が困難であり、そのため分別収集ができず、リサイクルせずに焼却などして廃棄処分されていたが、本発明に係るサンバイザーは、つばを生地だけで作ることによりリサイクルが可能で、資源の無駄を減らす効果があり、また、頭帯内に挿入、縫製された弾性帯芯材によって、着用者の額及び両側頭部からずれ下がることなく、しかも頭部外周に圧迫感を生じることなく、安定して装着できるという非常に有用な効果がある。
【符号の説明】
【００７４】
１０：弾性帯芯材
１１：円弧形枠部
１２：開口部
１３：両端部
１４：後端屈曲部
１４a：下向き内側曲げ部
１４b：突起
１５：通孔
１００：サンバイザー（帽子）
１１０：つば
１１１：つば材
１１２：縁仕上げ部材
１１３：縫製部
１１４：非縫付け部
１１６：ワイヤー
１１７：チューブ
１２０：頭帯
M１、M２、M３、……、Mn：生地帯
【図１】
2018009278.tif 000003
【図２】
2018009278.tif 000004
【図３】
2018009278.tif 000005
【図４】
2018009278.tif 000006
【図５】
2018009278.tif 000007
【図６】
2018009278.tif 000008
【図７】
2018009278.tif 000009
【図８】
2018009278.tif 000010
【図９】
2018009278.tif 000011
【図１０】
2018009278.tif 000012
【図１１】
2018009278.tif 000013
【図１２】
2018009278.tif 000014